(57)【要約】【課題】  市販の南京錠と組み合わせて使用することにより、部外者の取り外しを防止できる施錠用ボルトを提供する。【解決手段】  施錠用ボルト１は、締め付け対象３１の凹部３２内のボルト孔３３に挿入してボックスレンチで締め付け、固定部材３４のボルト孔３５に螺合する。ボルト１は、本体２と、本体２に軸周り回転、上下動自在の施錠ピン５とからなる。本体２は、頭部３と軸部４からなり、ガイド穴６と、受け穴７と、貫通孔８を持つ。施錠ピン５は、頭部１０と、軸部１１と、抜け止め部１２とからなる。頭部１０は、錠掛け孔１４を持ち、本体３の受け穴７に受け入れられる。施錠用ボルト１で、締め付け対象３１を固定部材３４に締め付けた後、頭部３から突出させた施錠ピン５の錠掛け孔１４に南京錠２１のシャックル２２を挿通させて施錠することにより、頭部３へのボックスレンチの係合を不可能とする。【選択図】図１
2008208587.tif 000002
【特許請求の範囲】
【請求項１】
締め付け対象のボルト受け凹部内に形成されたボルト孔に挿入してボックスレンチで締め付けることにより、固定部材のボルト孔に螺合されるボルトであって；頭部と軸部とを有するボルト本体と；このボルト本体に結合される施錠ピンとからなり；前記ボルト本体は、軸部の中心に軸線方向に形成されたガイド穴と；頭部の中心に軸線方向に形成された、前記ガイド穴に達しない深さの受け穴と；前記ガイド穴および受け穴のいずれよりも小径で両穴間を連通する貫通孔とを具備し；前記施錠ピンは、施錠頭部と；この施錠頭部の下部にこれと同心に延出するガイド軸部と；このガイド軸部の先端に設けられる抜け止め部とを具備し；前記施錠頭部は、前記ボルト本体の受け穴に、常時は上方に突出しないように軸線方向相対移動および軸周り回転自在に受け入れられ、南京錠のシャックルを挿通させるための軸線直交方向の錠掛け孔を具備し；前記ガイド軸部は、前記ボルト本体の貫通孔を軸線方向相対移動および軸周り回転自在に貫通し；前記抜け止め部は、前記ガイド軸部を上方に抜け止めするために、前記ボルト本体の貫通孔より大径に形成され；前記締め付け対象を前記固定部材に締め付けた後、前記ボルト本体の頭部から突出させた前記施錠ピンの錠掛け孔に南京錠のシャックルを挿通させて施錠することにより、ボルト本体の頭部への前記ボックスレンチの係合を不可能とすることを特徴とする施錠用ボルト。
【請求項２】
前記施錠ピンの施錠頭部の上縁には、外周が上広がりのフランジ部が形成され；前記ボルト本体の受け穴の上縁部には、前記施錠頭部のフランジ部を載せ受けるための当該フランジ部よりも大径の座ぐり部が形成され；それによって、当該座ぐり部に載った前記フランジ部の周囲に、指掛け凹部が形成されることを特徴とする請求項１に記載の施錠用ボルト。
【請求項３】
前記ボルト本体の頭部には、外周から前記受け穴に達する水抜き孔が形成されることを特徴とする請求項１又は２に記載の施錠用ボルト。
【請求項４】
前記施錠ピンの抜け止め部は、前記ガイド軸部の先端に螺合された抜け止めボルトの頭部によって形成されることを特徴とする請求項１ないし３のいずれかに記載の施錠用ボルト。
【請求項５】
前記ボルト本体の頭部の高さ寸法は、前記締め付け対象のボルト受け凹部の深さ寸法とほぼ同等に設定されることを特徴とする請求項１ないし４のいずれかに記載の施錠用ボルト。
【発明の詳細な説明】
【技術分野】
【０００１】
この発明は、固定部材に螺合させて締め付け対象を締め付けた後、南京錠で施錠して部外者が取り外しできなくするボルトに関する。
【背景技術】
【０００２】
従来、セキュリティー機能を有するマンホール蓋用施錠装置として特許文献１に記載されたものが知られている。この施錠装置は、蓋の垂直孔に筒状ケースに収容した締付ボルトを挿入し、その螺子軸部を固定部材の螺子孔にねじ込むもので、筒状ケース内の締付ボルトの上部には、締付ボルトの頭部の回転受動部を隠蔽する錠前ユニットを施錠可能に収容する。錠前ユニットを解錠して筒状ケースから抜き取った後でなければ締付ボルトを抜き取ることができない。二つの操作軸を持ったキーハンドルの一方の操作軸を用いて錠前ユニットの施錠軸を回転操作し、解錠した後、他方の操作軸を用いて締付ボルトの回転受動部を回転操作し、固定部材に対する蓋の固着を解除する。
【特許文献１】特開２００４−２８５６９４
【発明の開示】
【発明が解決しようとする課題】
【０００３】
上記従来のマンホール蓋用施錠装置は、蓋の垂直孔自体をこの施錠装置に対応する特殊構造にする必要があり、また、いずれも特殊構造のボルト、筒状ケース、錠前ユニット及びキーハンドルを必要とする。したがって、従来一般に用いられているマンホール蓋のボルト装着部の施錠に汎用することができないという制約がある。
この出願に係る発明は、市販の南京錠と組み合わせて使用することにより、一般に用いられるマンホール蓋等の施錠に汎用することができる施錠用ボルトを提供することを課題とする。
【課題を解決するための手段】
【０００４】
以下、添付図面の参照符号を付して説明するが、この出願に係る発明はこれに限定されるものではない。この出願に係る発明は、締め付け対象３１のボルト受け凹部３２内に形成されたボルト孔３３に挿入してボックスレンチで締め付けることにより、固定部材３４のボルト孔３５に螺合される施錠用ボルトを提供する。施錠用ボルト１は、頭部３と軸部４とを有するボルト本体２と、これに結合される施錠ピン５とからなる。ボルト本体２は、ガイド穴６と、受け穴７と、貫通孔８とを具備する。ガイド穴６は、軸部３の中心に軸線方向に形成される。受け穴７は、頭部３の中心にガイド穴６に達しない深さで軸線方向に形成る。貫通孔８は、ガイド穴６および受け穴７のいずれよりも小径で両穴間を連通する。施錠ピン５は、施錠頭部１０と、この施錠頭部１０の下部にこれと同心に延出するガイド軸部１１と、このガイド軸部１１の先端に設けられる抜け止め部１２とを具備する。施錠頭部１０は、南京錠２１のシャックル２２を挿通させるための軸線直交方向の錠掛け孔１４を具備し、ボルト本体３の受け穴７に軸周り回転および上下動自在に、かつ常時は上方に突出しないように受け入れられる。ガイド軸部１１は、ボルト本体２の貫通孔８を軸線方向相対移動および軸周り回転自在に貫通する。抜け止め部１２は、ガイド軸部１１を抜け止めするために、ボルト本体２の貫通孔８より大径に形成される。締め付け対象３１を固定部材３４に締め付けた後、頭部３から突出させた施錠ピン５の錠掛け孔１４に南京錠２１のシャックル２２を挿通させて施錠することにより、頭部３へのボックスレンチの係合を不可能とする。
【発明の効果】
【０００５】
この出願に係る発明の施錠用ボルト１によれば、施錠ピン５の頭部１０がボルト本体頭部３の受け穴７に埋没した状態で、締め付け対象３１のボルト受け凹部３２内のボルト孔３３に軸部４を挿入し、通常のボックスレンチをボルト本体頭部３に掛けて固定部材３４のボルト孔３５に軸部４を螺合させることにより、通常のボルトの締め付けと同様に、容易に締め付け作業を行うことができる。締め付け作業完了後、ボルト本体頭部３の受け穴７から施錠ピン５を引き上げて、施錠頭部１０の錠掛け孔１４に市販の南京錠２１のシャックル２２を挿通させて施錠すれば、ボルト本体頭部３へボックスレンチを係合させることができなくなる。従来使用しているボルトを、施錠用ボルト１に変更し、市販の南京錠２１と組み合わせて使用するだけで、マンホール蓋やそれの固定枠のような、締め付け対象や固定部材に構造上の変更を加えることなく、容易にボルトに施錠することができ、それにより設備のセキュリティを高めることができる。
【発明を実施するための最良の形態】
【０００６】
図面を参照してこの発明の実施の形態を説明する。図１はこの出願に係る発明の施錠用ボルトの断面図で、（ａ）は螺合状態、（ｂ）は施錠状態を示し、図２は図１の施錠用ボルトの施錠状態の平面図、図３は図１の施錠用ボルトの施錠状態の側面図である。
【０００７】
施錠用ボルト１は、締め付け対象３１のボルト受け凹部３２内に形成されたボルト孔３３に挿入してボックスレンチで締め付けることにより、固定部材３４のボルト孔３５に螺合される。施錠用ボルト１は、頭部３と軸部４とを有するボルト本体２と、このボルト本体２に結合される施錠ピン５とからなる。
【０００８】
ボルト本体２は、軸部４の中心に軸線方向に形成されたガイド穴６と、頭部３の中心に軸線方向に形成された受け穴７と、両穴６，７間を連通する貫通孔８とを具備する。受け穴７は、頭部３の上面から、ガイド穴６に達しない深さに設定される。貫通孔８は、受け穴７およびガイド穴６のいずれよりも小径であり、両穴６，７間に環状の段部９が形成される。頭部３の上面の受け穴７の上縁部には、大径の座ぐり部１３が形成され、また頭部には、外周から受け穴７に達する水抜き孔１８が形成される。頭部３の高さ寸法は、締め付け対象３１のボルト受け凹部３２の深さ寸法とほぼ同等に設定される。
【０００９】
施錠ピン５は、円柱状の施錠頭部１０と、この施錠頭部１０の下部に、これと同心に延出する円柱状のガイド軸部１１と、このガイド軸部１１の先端に設けられる抜け止め部１２とを具備する。
【００１０】
施錠頭部１０は、南京錠２１のシャックル２２を挿通させるための軸線直交方向の錠掛け孔１４を具備する。施錠頭部１０は、ボルト本体２の受け穴７に軸周り回転自在に、かつ上方に突出しないように受け入れられる。施錠頭部１０の上縁には、外周が上広がりのフランジ部１５が形成される。ボルト本体頭部１０の座ぐり部１３は、フランジ部１５よりも大径で、フランジ部１５を載せ受けた状態で、それの周囲に、指掛け凹部１６が形成される。
【００１１】
ガイド軸部１１は、ボルト本体２の貫通孔８を軸線方向相対移動および軸周り回転自在に貫通する。抜け止め部１２は、ガイド軸部１１を抜け止めするために、ボルト本体の貫通孔８より大径に形成される。図示の実施形態において、抜け止め部１２は、ガイド軸部１１の先端中心に下方から軸線方向に螺合された抜け止めボルト１７の頭部によって形成される。
この実施形態の施錠用ボルト１を用いる場合には、施錠ピン５の施錠頭部１０がボルト本体頭部３の受け穴７に埋没した図１（ａ）に示す状態で、締め付け対象３１のボルト受け凹部３２内のボルト孔３３に軸部４を挿入し、ボックスレンチを頭部３に掛けて、固定部材３４のボルト孔３５に軸部４を螺合させる。このとき、施錠ピン５は、頭部３の受け穴７に埋没して、上方へ突出していないから、レンチを掛ける障害とならない。
【００１２】
締め付け作業完了後、ボルト本体頭部３の受け穴７から施錠ピン５を引き上げ、施錠頭部１０の錠掛け孔１４に市販の南京錠２１のシャックル２２を挿通させて施錠すれば、南京錠２１が障害となって、ボルト本体頭部３へボックスレンチを係合させることができなくなる。施錠ピン５は、ボルト本体２に対して軸周り回転自在であるから、南京錠２１を手がかりにボルト本体２を回そうとしても回転が伝わらない。
【００１３】
従来使用しているボルトを施錠用ボルト１に変更し、市販の南京錠と組み合わせて使用するだけで、締め付け対象や固定部材に構造上の変更を加えることなく、容易にボルトに施錠することができる。
【図面の簡単な説明】
【００１４】
【図１】この出願に係る発明の施錠用ボルトの断面図で、（ａ）は螺合状態、（ｂ）は施錠状態を示す。
【図２】図１の施錠用ボルトの施錠状態の平面図である。
【図３】図１の施錠用ボルトの施錠状態の側面図である。
【符号の説明】
【００１５】
１      施錠用ボルト
２      ボルト本体
３      頭部
４      軸部
５      施錠ピン
６      ガイド穴
７      受け穴
８      貫通孔
９      環状の段部
１０    施錠頭部
１１    ガイド軸部
１２    抜け止め部
１３    座ぐり部
１４    錠掛け孔
１５    フランジ部
１６    指掛け凹部
１７    抜け止めボルト
１８    水抜き孔
２１    南京錠
２２    シャックル
３１    締め付け対象
３２    ボルト受け凹部
３３    ボルト孔
３４    固定部材
３５    ボルト孔
【図１】
2008208587.tif 000003
【図２】
2008208587.tif 000004
【図３】
2008208587.tif 000005